(57)【要約】【課題】電動式無人搬送車両に装着した状態で充電できるほか、電動式無人搬送車から取り外した状態で充電できる電動式搬送車両の蓄電ユニット装置の提供にある。【解決手段】蓄電ユニット２５は、外部電源と接続可能な充電用端子２９と、充電用端子２９と蓄電モジュール２７との通電と蓄電モジュール２７と給電用端子２８との通電とを切り換える切換スイッチ３０と、切換スイッチ３０を制御する制御装置３１と、を備え、制御装置３１は、充電用端子２９が外部電源と接続されるとき、充電用端子２９と蓄電モジュール２７とを通電させるとともに、蓄電モジュール２７と給電用端子２８との通電を遮断するように切換スイッチ３０を制御する。【選択図】  図４
2020005403.tif 000002
【特許請求の範囲】
【請求項１】
充放電可能な蓄電モジュールを収容可能とし、電動式搬送車両に対して着脱可能な蓄電ユニットを備え、
前記蓄電ユニットは、前記電動式搬送車両の入力端子と接続可能であって、前記蓄電モジュールから前記電動式搬送車両へ給電可能とする給電用端子を備えた電動式搬送車両の蓄電ユニット装置において、
前記蓄電ユニットは、
外部電源と接続可能な充電用端子と、
前記充電用端子と前記蓄電モジュールとの間の通電と、前記蓄電モジュールと前記給電用端子との間の通電を切り換える切換スイッチと、
前記切換スイッチを制御する制御装置と、を備え、
前記制御装置は、
前記充電用端子が前記外部電源と接続されるとき、前記充電用端子と前記蓄電モジュールとの間を通電させるとともに、前記蓄電モジュールと前記給電用端子との間の通電を遮断するように前記切換スイッチを制御することを特徴とする電動式搬送車両の蓄電ユニット装置。
【請求項２】
前記蓄電モジュールと並列接続され、前記蓄電モジュールを冷却する冷却装置を備え、
前記冷却装置は、前記充電用端子が前記外部電源と接続される前記蓄電モジュールの充電時に、前記給電用端子を通じた前記外部電源の電力により作動されることを特徴とする請求項１記載の電動式搬送車両の蓄電ユニット装置。
【請求項３】
前記充電用端子は、前記蓄電ユニットが前記電動式搬送車両に装着された状態では、前記電動式搬送車両の外側を臨む位置に設けられていることを特徴とする請求項１又は２記載の電動式搬送車両の蓄電ユニット装置。
【請求項４】
前記冷却装置は、前記蓄電モジュールと前記給電用端子とが通電される電動式搬送車の運転時に前記蓄電モジュールに蓄電された電力により作動されることを特徴とする請求項２記載の電動式搬送車両の蓄電ユニット装置。
【発明の詳細な説明】
【技術分野】
【０００１】
この発明は、電動式搬送車両の蓄電ユニット装置に関する。
【背景技術】
【０００２】
従来の電動式搬送車両の蓄電ユニット装置としては、例えば、特許文献１に開示された電動無人搬送車両が知られている。特許文献１の電動無人搬送車は、バッテリに貯蔵されている電力を動力源として自律走行する電動車両である。この電動無人搬送車は、荷台の下部に設けられた充電装置格納箱と、充電装置格納箱から所定間隔離されて荷台から懸架されたバッテリを有している。
【０００３】
充電装置格納箱には、電力供給制御装置と、接続器と、充電装置とが設けられている。バッテリの電力は、主に、電力供給制御装置を介して、走行装置へ供給される。外部より供給される商用電源の電力は、個別に接続器へ入力され、その入力された電力の一つが充電装置へ供給される。その結果、充電装置によりバッテリが充電される。
【先行技術文献】
【特許文献】
【０００４】
【特許文献１】特開２０１３−５５７５０号公報
【発明の概要】
【発明が解決しようとする課題】
【０００５】
しかしながら、特許文献１に開示された電動無人搬送車では、接続器がバッテリと離れた場所に設けられているため、バッテリを電動無人搬送車から取り外し、外部の商用電源の電力を取り外したバッテリに充電することができないという問題がある。この場合、バッテリを充電するために電動無人搬送車が待機することになり、電動無人搬送車の搬送効率が低下する。また、バッテリを電動無人搬送車から取り外さずに急速充電する場合では、バッテリの種類によってはバッテリの冷却が必要である。バッテリに冷却装置を設けて充電中のバッテリを冷却することも考えられるが、充電時には冷却装置がバッテリに充電された電力を消費するため、バッテリの劣化が促進されるという問題を生じる。特に、コンテナ等の大型の荷を搬送する電動式搬送車両では、荷の搬送と停止を繰り返し、充電の頻度が高くなることから、バッテリの劣化を抑制することが要請されている。
【０００６】
本発明は上記の問題点に鑑みてなされたもので、本発明の目的は、電動式無人搬送車両に装着した状態で充電できるほか、電動式無人搬送車から取り外した状態で充電できる電動式搬送車両の蓄電ユニット装置の提供にある。
【課題を解決するための手段】
【０００７】
上記の課題を解決するために、本発明は、充放電可能な蓄電モジュールを収容可能とし、電動式搬送車両に対して着脱可能な蓄電ユニットを備え、前記蓄電ユニットは、前記電動式搬送車両の入力端子と接続可能であって、前記蓄電モジュールから前記電動式搬送車両へ給電可能とする給電用端子を備えた電動式搬送車両の蓄電ユニット装置において、前記蓄電ユニットは、外部電源と接続可能な充電用端子と、前記充電用端子と前記蓄電モジュールとの間の通電と、前記蓄電モジュールと前記給電用端子との間の通電を切り換える切換スイッチと、前記切換スイッチを制御する制御装置と、を備え、前記制御装置は、前記充電用端子が前記外部電源と接続されるとき、前記充電用端子と前記蓄電モジュールとの間を通電させるとともに、前記蓄電モジュールと前記給電用端子との間の通電を遮断するように前記切換スイッチを制御することを特徴とする。
【０００８】
本発明では、蓄電ユニットは、外部電源と接続可能な充電用端子と、充電用端子と蓄電モジュールとの間の通電と、蓄電モジュールと給電用端子との間の通電を切り換える通電切換器と、通電切換器を制御する制御装置と、を備える。このため、電動式搬送車両から取り外された蓄電ユニットを充電することができるほか、電動式搬送車両に装着された蓄電ユニットを充電することができる。したがって、蓄電ユニットの充電待ち等による電動式搬送車両の搬送効率の低下を抑制することができる。また、蓄電ユニットが故障して電動式搬送車両が停止しても、充電済みの蓄電モジュールを備えた蓄電ユニットと交換すれば、停止した電動式搬送車両を牽引する作業が大幅に削減され、電動式搬送車両の保守作業の効率が向上する。
【０００９】
また、上記の電動式搬送車両の蓄電ユニット装置において、前記蓄電モジュールと並列接続され、前記蓄電モジュールを冷却する冷却装置を備え、前記冷却装置は、前記充電用端子が前記外部電源と接続される前記蓄電モジュールの充電時に、前記給電用端子を通じた前記外部電源の電力により作動される構成としてもよい。
この場合、蓄電モジュールを急速充電しても、冷却装置によって蓄電モジュールが冷却されるので、急速充電による蓄電ユニットの高温化を抑制でき、急速充電による蓄電モジュールの劣化を抑制することができる。
【００１０】
また、上記の電動式搬送車両の蓄電ユニット装置において、前記充電用端子は、前記蓄電ユニットが前記電動式搬送車両に装着された状態では、前記電動式搬送車両の外側を臨む位置に設けられている構成としてもよい。
この場合、蓄電ユニットが電動式搬送車両に装着された状態では、充電用端子が電動式搬送車両の外側を臨むため、充電用端子は外部電源と接続し易くなる。よって、蓄電ユニットが電動式搬送車両に装着された状態での蓄電モジュールの充電が行い易い。
【００１１】
また、上記の電動式搬送車両の蓄電ユニット装置において、前記冷却装置は、前記蓄電モジュールと前記給電用端子とが通電される電動式搬送車の運転時に前記蓄電モジュールに蓄電された電力により作動される構成としてもよい。
この場合、冷却装置は電動式搬送車両の運転時に蓄電モジュールを冷却することができる。よって、蓄電モジュールの放電時における高温化を抑制でき、放電による蓄電モジュールの劣化を抑制することができる。
【発明の効果】
【００１２】
本発明によれば、電動式無人搬送車両に装着した状態で充電できるほか、電動式無人搬送車から取り外した状態で充電できる電動式搬送車両の蓄電ユニット装置を提供することができる。
【図面の簡単な説明】
【００１３】
【図１】本発明の実施形態に係る蓄電ユニット装置を適用した電動式搬送車両の側面図である。
【図２】（ａ）は本発明の実施形態に係る蓄電ユニット装置を適用した電動式搬送車両の平面図であり、（ｂ）は電動式搬送車両の正面図である。
【図３】本発明の実施形態に係る蓄電ユニット装置の斜視図である。
【図４】本発明の実施形態に係る蓄電ユニット装置のブロック構成図である。
【発明を実施するための形態】
【００１４】
以下、本発明の実施形態に係る電動式搬送車両の蓄電ユニット装置について図面を参照して説明する。本実施形態の電動式搬送車両は、港湾設備としてのコンテナターミナルにおいて船舶とコンテナヤードとの間にてコンテナの荷役を受けてコンテナを搬送する複数のコンテナ用無人搬送車である。複数のコンテナ用無人搬送車は、コンテナ用無人搬送車の走行経路から離隔する位置に設置された上位システムである運用制御装置からの指令に基づいて走行経路を走行する。
【００１５】
図１に示すように、電動式搬送車両としてのコンテナ用無人搬送車１０の車体１１は、コンテナＣを支持する荷台１２を備えている。車体１１の下部前側には左右一対の前輪１３を備え、車体１１の下部後側には左右一対の後輪１４が備えられている。前輪１３および後輪１４について説明すると、車体１１に対して水平方向に旋回自在の旋回支持部１５が設けられている。図２（ａ）、図２（ｂ）に示すように、旋回支持部１５の下端には、車軸（図示せず）およびデフ機構（図示せず）を収容する軸ケース１６が連結されている。車軸の両端にはタイヤ１７がそれぞれ取り付けられており、前輪１３および後輪１４は、２本のタイヤ１７を備えるダブルタイヤ構造となっている。軸ケース１６には走行用の電動モータ１８が設けられている。本実施形態では電動モータ１８としてサーボモータが用いられている。
【００１６】
各旋回支持部１５の上部には、操舵機構１９がそれぞれ連結されている。操舵機構１９は、図示されないが旋回支持部１５を旋回させるための操舵用の電動モータおよび減速機を備えている。従って、前輪１３および後輪１４は操舵機構１９の作動により互いに独立して操舵可能である。
【００１７】
車体１１の幅方向の縁部付近には、荷台１２に対するコンテナＣの幅方向の位置ずれを規制する複数のストッパ２０が備えられている。また、車体１１の前部および後部には、荷台１２に搭載されるコンテナＣの長さ方向の位置ずれを規制するストッパ２１がそれぞれ設けられている。
【００１８】
図１に示すように、車体１１の底部における前部および後部には、走行経路Ａにおける路面に埋設されたトランスポンダ２２の情報を受信可能とする情報受信部としてのトランスポンダ受信機２３が備えられている。トランスポンダ受信機２３はトランスポンダ２２を読み取ることにより位置検出を行う。
【００１９】
本実施形態の蓄電ユニット装置は、コンテナ用無人搬送車１０に対して着脱可能な蓄電ユニット２５を備えている。具体的には、蓄電ユニット２５は、車体１１の前後方向における中間付近において車体１１に対して着脱可能に備えられている。蓄電ユニット２５は、走行用の電動モータ１８や操舵用の電動モータを駆動するための電力が蓄えられる。図３に示すように、蓄電ユニット２５は、全体形状としては略立方体であり、蓄電ケース２６と、蓄電ケース２６に保持される４つの蓄電モジュール２７を備えている。さらに、図４に示すように、蓄電ユニット２５は、給電用端子２８と、充電用端子２９と、切換スイッチ３０と、制御装置３１と、冷却装置３２と、を備えている。
【００２０】
蓄電ケース２６は４つの蓄電モジュール２７を収容可能であって保持する。４つの蓄電モジュール２７は並列接続されている。図４に示すように、給電用端子２８は、車体１１側の入力端子２４と接続可能であり、蓄電モジュール２７の電力を車体１１側の走行用の電動モータ１８や操舵用の電動モータ等の負荷へ供給するための端子である。つまり、給電用端子２８は、蓄電モジュール２７からコンテナ用無人搬送車１０へ給電可能とする。給電用端子２８は、車体１１に装着された状態では、蓄電ユニット２５の前部に位置し、車体１１側の入力端子２４と接続可能な位置に設けられている。
【００２１】
充電用端子２９は、外部電源との接続により蓄電モジュール２７を充電するための端子である。充電用端子２９は、車体１１に装着された状態では、蓄電ユニット２５の側部における前後方向の中心に位置し、図４に示す外部電源の出力端子Ｔが接続され易い位置に設けられている。つまり、充電用端子２９は、蓄電ケース２６が車体１１に装着された状態では、車体１１の外側を臨む位置に設けられている。
【００２２】
切換スイッチ３０は充電用端子２９と蓄電モジュール２７との間の通電と、蓄電モジュール２７と給電用端子２８との間の通電を切り換えるスイッチである。切換スイッチ３０は制御装置３１と接続されており、切換スイッチ３０は、制御装置３１により制御され、切り換えられる。図３では、切換スイッチ３０は図示されない。
【００２３】
制御装置３１は、各種データを計算するほか、プログラムを実行する演算処理部（図示せず）と、各種データおよびプログラムを記憶する記憶部（図示せず）と、を備えている。制御装置３１は、各蓄電モジュール２７と通信可能に接続されている。制御装置３１は、充電用端子２９および切換スイッチ３０と接続されており、充電用端子２９および切換スイッチ３０を制御する。
【００２４】
冷却装置３２は、蓄電モジュール２７を冷却するために設けられており、蓄電モジュール２７の方向への送風を発生する電動ファン（図示せず）を備えている。冷却装置３２は、蓄電モジュール２７と並例接続されている。冷却装置３２は、蓄電モジュール２７の充電時およびコンテナ用無人搬送車１０の走行時（放電時）に作動される。
【００２５】
次に、蓄電モジュール２７について説明すると、蓄電モジュール２７は充放電可能であり、複数の蓄電池３３と、蓄電池３３の状態を監視して充放電を制御する電池ＥＣＵ３４を備えている。各蓄電モジュール２７の電池ＥＣＵ３４は、制御装置３１と通信可能に接続されている。本実施形態の蓄電池３３はリチウムイオン二次電池である。電池ＥＣＵ３４は、蓄電モジュール２７の各部を監視して制御する。
【００２６】
図４に示すように、複数の蓄電池３３は直列接続されている。蓄電モジュール２７には、複数の蓄電池３３の通電と遮断とを切り換えるスイッチ３５が設けられているほか、電流センサ３６、漏電検出センサ３７およびサービスプラグ３８が備えられている。電流センサ３６は充放電時の電流を検出し、漏電検出センサ３７は充放電時における漏電の有無を検出する。サービスプラグ３８は、蓄電池３３の交換等の保守作業の際に取り外すプラグであり、サービスプラグ３８を取り外すことにより蓄電池３３における通電が確実に遮断される。電流センサ３６、漏電検出センサ３７およびサービスプラグ３８は電池ＥＣＵ３４と接続されている。電池ＥＣＵ３４は、電流センサ３６、漏電検出センサ３７およびサービスプラグ３８の信号の伝達を受けて、スイッチ３５のオン・オフを制御する。
【００２７】
次に、本実施形態の蓄電ユニット２５の充電について説明する。本実施形態の蓄電ユニット２５は、車体１１に装着された状態での充電が可能であるほか、車体１１から取り外された状態での充電が可能である。
【００２８】
車体１１に装着された状態の蓄電ユニット２５を充電する場合、外部電源の出力端子Ｔを充電用端子２９に接続する。制御装置３１は充電用端子２９に外部電源の出力端子Ｔが接続されたことを検知する。制御装置３１は、蓄電モジュール２７と給電用端子２８との間の通電を遮断し、充電用端子２９と蓄電モジュール２７との間を通電させるように、切換スイッチ３０を制御して切り換える。
【００２９】
切換スイッチ３０の切り換えにより、外部電源の電力は充電用端子２９を通じて蓄電モジュール２７へ蓄えられる。このとき、蓄電モジュール２７と並列接続されている冷却装置３２へ電力が供給され、冷却装置３２が作動される。各蓄電モジュール２７に蓄電されるとともに、冷却装置３２から発生する送風によって各蓄電モジュール２７が冷却される。冷却装置３２は、複数の蓄電モジュール２７と並列接続であるため、外部電源の電力を使って作動され、蓄電モジュール２７に蓄えられた電力を消費することはない。
【００３０】
蓄電モジュール２７の各蓄電池３３が満充電となると、電池ＥＣＵ３４はスイッチ３５をオンからオフに切り換えて、蓄電池３３への通電を遮断する。各蓄電モジュール２７の蓄電池３３が満充電になると、制御装置３１は、蓄電モジュール２７の充電が完了したことを認識する。制御装置３１が蓄電モジュール２７の充電を完了した後、外部電源の出力端子Ｔを充電用端子２９から切り離す。
【００３１】
次に、制御装置３１は、蓄電モジュール２７と給電用端子２８との間を通電させ、充電用端子２９と蓄電モジュール２７との間の通電を遮断するように、切換スイッチ３０を制御して切り換える。さらに、制御装置３１は、電池ＥＣＵ３４に対してスイッチ３５をオフからオンに切り換える指令を出す。電池ＥＣＵ３４は指令を受けてスイッチ３５をオフからオンに切り換える。スイッチ３５がオンに切り換わることにより、各蓄電モジュール２７に蓄えられている電力が給電用端子２８を通じて走行用の電動モータ１８や操舵用の電動モータ等の負荷へ供給される。車体１１の負荷へ電力が供給されることにより、コンテナ用無人搬送車１０は走行可能となる。このように、本実施形態では、蓄電ユニット２５が車体１１に装着された状態で充電が完了すると、コンテナ用無人搬送車１０は直ちに走行可能となる。
【００３２】
スイッチ３５がオフからオンに切り換わることにより、蓄電モジュール２７に蓄えられている電力が冷却装置３２へ供給され、冷却装置３２は蓄電モジュール２７の電力により作動する。つまり、冷却装置３２はコンテナ用無人搬送車１０の走行時に作動する。したがって、蓄電モジュール２７の放電時において、冷却装置３２は蓄電モジュール２７を冷却する。
【００３３】
車体１１から取り外された状態の蓄電ユニット２５を充電する場合について説明する。この場合も外部電源の出力端子Ｔを充電用端子２９に接続する。制御装置３１は充電用端子２９に外部電源の出力端子Ｔが接続されたことを検知する。制御装置３１は、蓄電モジュール２７と給電用端子２８との間の通電を遮断し、充電用端子２９と蓄電モジュール２７との間を通電させるように、切換スイッチ３０を制御して切り換える。
【００３４】
切換スイッチ３０の切り換えにより、外部電源の電力は充電用端子２９を通じて蓄電モジュール２７へ蓄えられる。このとき、蓄電モジュール２７と並列接続されている冷却装置３２へ電力が供給され、冷却装置３２が作動される。各蓄電モジュール２７に蓄電されるとともに、冷却装置３２から発生する送風によって各蓄電モジュール２７が冷却される。冷却装置３２は、複数の蓄電モジュール２７と並列接続であるため、外部電源の電力を使って作動し、蓄電モジュール２７に蓄えられた電力を消費することはない。
【００３５】
蓄電モジュール２７の各蓄電池３３が満充電となると、電池ＥＣＵ３４はスイッチ３５をオンからオフに切り換えて、蓄電池３３への通電を遮断する。各蓄電モジュール２７の蓄電池３３が満充電になると、制御装置３１は、蓄電モジュール２７の充電が完了したことを認識する。制御装置３１が蓄電モジュール２７の充電を完了した後、外部電源の出力端子Ｔを充電用端子２９から切り離す。充電が完了した蓄電ユニット２５は、コンテナ用無人搬送車１０に装着されている別の蓄電ユニット２５と交換するまで保管しておけばよい。
【００３６】
充電が完了した蓄電ユニット２５が交換によりコンテナ用無人搬送車１０に装着されると、入力端子２４が給電用端子２８と接続される。次に、制御装置３１は、蓄電モジュール２７と給電用端子２８との間を通電させ、充電用端子２９と蓄電モジュール２７との間の通電を遮断するように、切換スイッチ３０を制御して切り換える。さらに、制御装置３１は、電池ＥＣＵ３４に対してスイッチ３５をオフからオンに切り換える指令を出す。電池ＥＣＵ３４は指令を受けてスイッチ３５をオフからオンに切り換える。スイッチ３５がオンに切り換わることにより、各蓄電モジュール２７に蓄えられている電力が給電用端子２８を通じて走行用の電動モータ１８や操舵用の電動モータ等の負荷へ供給される。車体１１の負荷へ電力が供給されることにより、コンテナ用無人搬送車１０は走行可能となる。
【００３７】
また、スイッチ３５がオフからオンに切り換わることにより、蓄電モジュール２７に蓄えられている電力が冷却装置３２へ供給され、冷却装置３２はコンテナ用無人搬送車１０の走行時に作動する。つまり、蓄電モジュール２７の放電時において、冷却装置３２は蓄電モジュール２７を冷却する。
【００３８】
本実施形態の蓄電ユニット２５は以下の作用効果を奏する。
（１）蓄電ユニット２５は、外部電源の出力端子Ｔと接続可能な充電用端子２９と、充電用端子２９と蓄電モジュール２７との間の通電と、蓄電モジュール２７と給電用端子２８との間の通電を切り換える切換スイッチ３０と、切換スイッチ３０を制御する制御装置３１と、を備える。このため、コンテナ用無人搬送車１０から取り外された蓄電ユニット２５を充電することができるほか、コンテナ用無人搬送車１０に装着された蓄電ユニット２５を充電することができる。したがって、蓄電ユニット２５の充電待ち等によるコンテナ用無人搬送車１０の搬送効率の低下を抑制することができる。また、蓄電モジュール２７が故障してコンテナ用無人搬送車１０が停止しても、故障した蓄電ユニット２５と充電済みの蓄電モジュール２７を備えた蓄電ユニット２５とを入れ換えて交換すれば、停止したコンテナ用無人搬送車１０を牽引する作業が大幅に削減され、コンテナ用無人搬送車１０の保守作業の効率が向上する。
【００３９】
（２）蓄電ユニット２５は、蓄電モジュール２７と並列接続され、蓄電モジュール２７を冷却する冷却装置３２を備えている。冷却装置３２は、充電用端子２９が外部電源の出力端子Ｔと接続される蓄電モジュール２７の充電時に、充電用端子２９を通じた外部電源の電力により作動される。この場合、蓄電モジュール２７を急速充電しても、冷却装置３２によって蓄電モジュール２７が冷却されるので、急速充電による蓄電モジュール２７の高温化を抑制でき、急速充電による蓄電モジュール２７の劣化を抑制することができる。
【００４０】
（３）充電用端子２９は、蓄電ユニット２５がコンテナ用無人搬送車１０に装着された状態では、コンテナ用無人搬送車１０の外側を臨む位置に設けられている。このため、充電用端子２９は外部電源の出力端子Ｔと接続し易くなる。よって、蓄電ユニット２５がコンテナ用無人搬送車１０に装着された状態での蓄電モジュール２７の充電が行い易い。
【００４１】
（４）冷却装置３２は、蓄電モジュール２７と給電用端子２８とが通電されるコンテナ用無人搬送車１０の運転時に蓄電モジュール２７に蓄電された電力により作動される。このため、冷却装置３２はコンテナ用無人搬送車１０の運転時に蓄電モジュール２７を冷却することができる。よって、蓄電モジュール２７の放電時における高温化を抑制でき、放電による蓄電モジュール２７の劣化を抑制することができる。
【００４２】
（５）蓄電ユニット２５は、コンテナ用無人搬送車１０に装着されたままで充電できるほか、コンテナ用無人搬送車１０から取り外された状態であっても充電可能である。このため、コンテナ用無人搬送車１０の運用効率を損なうことなく、蓄電ユニット２５の充電を行うことができる。
【００４３】
（６）蓄電ユニット２５は、充電用端子２９と、切換スイッチ３０と、制御装置３１と、を備える。このため、コンテナ用無人搬送車１０に充電用端子を設ける必要がなく、コンテナ用無人搬送車１０の車体１１に充電用端子を設ける場合と比較して、電力線の短縮化を図ることができ、送電による電力ロスを低減することができる。
【００４４】
（７）コンテナ用無人搬送車１０は、大型の荷であるコンテナＣを搬送することから、走行および停止を繰り返し、さらに、蓄電ユニット２５の急速充電の頻度が比較的高い。そして、蓄電ユニット２５は、蓄電モジュール２７の充電と同時に外部電源の電力によって蓄電モジュール２７を冷却することができる。このため、蓄電ユニット２５によれば、コンテナ用無人搬送車１０の搬送効率の低下を抑制する効果や、充電による高温化による蓄電モジュール２７の劣化を防止する効果は、小さい荷を搬送する電動式搬送車両の場合と比較すると大きい。
【００４５】
（８）蓄電モジュール２７の充電には、外部電源の電力により冷却装置３２が作動されることから、充電時に蓄電ユニットに一旦蓄電された電力を用いて冷却装置を作動させる場合に比較すると、蓄電モジュール２７の充放電の回数が抑制され、充放電の回数抑制により蓄電モジュール２７の劣化を抑制することができる。
【００４６】
本発明は、上記の実施形態に限定されるものではなく発明の趣旨の範囲内で種々の変更が可能であり、例えば、次のように変更してもよい。
【００４７】
○  上記の実施形態では、蓄電ユニットが冷却装置を備えるとしたが、冷却装置は必須ではなく、冷却装置を備えない冷却装置であってもよい。充電の際に冷却を必要としない蓄電モジュールの場合に適用することが可能である。
○  上記の実施形態では、蓄電モジュールの蓄電池はリチウムイオン二次電池としたが、蓄電モジュールの蓄電池はリチウムイオン二次電池に限定されない。蓄電モジュールの蓄電池は、例えば、ニッケル水素二次電池等、リチウムイオン二次電池以外の二次電池としてもよい。
○  上記の実施形態では、蓄電モジュール毎に冷却装置を設けたがこの限りではない。冷却装置の数は特に限定されない。また、送風ファンによる空冷式の冷却装置としたが、ラジエータおよびラジエータファンを用いる水冷式の冷却装置であってもよい。
○  上記の実施形態では、冷却装置は急速充電時および走行時に蓄電モジュールを冷却するとしたが、冷却装置は急速充電時のみ冷却するようにしてもよい。また、走行時に冷却する場合でも、放電に応じて冷却装置の送風量を増減するようにしてもよい。
○  上記の実施形態では、蓄電ユニット装置が適用される電動式搬送車両としてコンテナ用無人搬送車を例示して説明したが、電動式搬送車両は、コンテナ用無人搬送システムに限定されない。例えば、有人式の電動式搬送車両でもよく、搬送対象の荷もコンテナ以外の荷であってもよい。
【符号の説明】
【００４８】
１０  コンテナ用無人搬送車（電動式搬送車両）
１１  車体
１２  荷台
１８  電動モータ
１９  操舵機構
２４  入力端子（車体側）
２５  蓄電ユニット
２６  蓄電ケース
２７  蓄電モジュール
２８  給電用端子
２９  充電用端子
３０  切換スイッチ
３１  制御装置
３２  冷却装置
３３  蓄電池
３４  電池ＥＣＵ
３５  スイッチ
Ｔ  出力端子（外部電源）
【図１】
2020005403.tif 000003
【図２】
2020005403.tif 000004
【図３】
2020005403.tif 000005
【図４】
2020005403.tif 000006